(57)【要約】【課題】制御素子が不正取り替え、不正改造される事態を防止することができるとともに、万が一、不正取り替え、不正改造された上に偽造された収納ケースに収納された場合には、直ちにその事態を発見することができる遊技機用制御装置を提供する。【解決手段】パチンコ機の背面には、制御装置２０が設置されており、当該制御装置２０においては、上カバー（表側ケース部材３１、かしめカバー部材４２）および下カバー（裏側ケース部材３１、ベース部材４１）によって、ＲＯＭ等の制御素子を搭載したメイン制御基板２１が覆われた状態になっている。そして、かしめカバー部材４２のビス挿通部５３ａ，５３ａには、キャップ１１，１１が嵌め込まれており、それらのキャップ１１，１１が、所定の波長の紫外線を照射すると発光する紫外線発光部として機能するようになっている。【選択図】図２
2015000244.tif 000002
【特許請求の範囲】
【請求項１】
制御素子を設置した基板が、上カバーと下カバーとによって覆われた遊技機用制御装置であって、
前記上カバーおよび／または下カバーに、所定の波長の紫外線を照射すると発光する紫外線発光部が設けられていることを特徴とする遊技機用制御装置。
【請求項２】
前記上カバーの端縁に切断可能な複数のネジ保持部が設けられており、それらのネジ保持部の内の少なくとも１つが、ワンウェイタイプのネジによって前記下カバーに螺着されているとともに、
前記紫外線発光部が、そのワンウェイタイプのネジのネジ孔にネジのヘッド部を隠すように装着されるキャップであることを特徴とする請求項１に記載の遊技機用制御装置。
【請求項３】
前記紫外線発光部が、紫外線発光蛍光体を含有した合成樹脂によって形成されていることを特徴とする請求項１、または請求項２に記載の遊技機用制御装置。
【発明の詳細な説明】
【技術分野】
【０００１】
本発明は、パチンコ機、スロットマシーン等の遊技機に設置される制御装置に関するものである。
【背景技術】
【０００２】
従来、パチンコ機やスロットマシン等の遊技機には、所謂「大当たり抽選」等の遊技に係る制御を実行する制御装置が内蔵されている。そのような制御装置の中には、制御基板を収容する収容ケースの上カバー（カバー部材）と下カバー（ベース部材）とをワンウェイタイプのネジ等により一体化するとともに、工具を用いて当該ワンウェイタイプのネジによる螺着部分を切断しなければ収容ケースを開放できないように構成し、制御基板に対する不正行為（たとえば、改造されたＲＯＭへの差し替え等）の防止機能を高めたものが知られている。
【先行技術文献】
【特許文献】
【０００３】
【特許文献１】特開２０１０−２７３９８１号公報
【発明の概要】
【発明が解決しようとする課題】
【０００４】
しかしながら、上記の如く不正行為防止手段が講じられた制御装置であっても、上カバーと下カバーとが取り外され、制御素子が不正に取り替えられ、あるいは不正に改造された後に、偽造された同一形状の収納ケースと取り替えられた場合には、不正の事態を容易に発見することができず、パチンコ機が不正遊技者にとって都合良く作動する事態を防止することができない。
【０００５】
本発明の目的は、上記従来の遊技機用の制御装置が有する問題点を解消し、制御素子が不正取り替え、不正改造される事態を防止することができるとともに、万が一、不正取り替え、不正改造された上に偽造された収納ケースに収納された場合でも、直ちにその事態を発見することができる防犯性能に優れた遊技機用制御装置を提供することにある。
【課題を解決するための手段】
【０００６】
かかる本発明のうち、請求項１に記載された発明は、制御素子を設置した基板が、上カバーと下カバーとによって覆われた遊技機用制御装置（以下、単に制御装置という）であって、前記上カバーおよび／または下カバーに、所定の波長の紫外線を照射すると発光する紫外線発光部が設けられていることを特徴とするものである。
【０００７】
請求項２に記載された発明は、請求項１に記載された発明において、前記上カバーの端縁に切断可能な複数のネジ保持部が設けられており、それらのネジ保持部の内の少なくとも１つが、ワンウェイタイプのネジによって前記下カバーに螺着されているとともに、前記紫外線発光部が、そのワンウェイタイプのネジのネジ孔にネジのヘッド部を隠すように装着されるキャップであることを特徴とするものである。
【０００８】
請求項３に記載された発明は、請求項１、または請求項２に記載された発明において、前記紫外線発光部が、紫外線発光蛍光体を含有した合成樹脂によって形成されていることを特徴とするものである。なお、紫外線発光蛍光体としては、有機蛍光体がペリレン系化合物、クマリン系化合物および希土類錯体化合物よりなる群から選ばれる１種または２種以上を好適に用いることができる。
【発明の効果】
【０００９】
請求項１に記載された制御装置は、所定の波長の紫外線を照射すると発光する紫外線発光部が設けられているため、上カバーと下カバーとが開放された後に、偽造された上カバーあるいは下カバーに取り替えられた場合でも、所定の波長の紫外線を照射することによって、上カバーあるいは下カバーが偽造されたものであること（すなわち、不正にＲＯＭ等が取り替えられたこと）を容易に認識することができる。それゆえ、容易に不正の事態を発見することができ、不正遊技者にとって都合良く作動する事態を未然に防止することができる。
【００１０】
請求項２に記載された制御装置は、上カバーおよび下カバーを通常のプラスチック（紫外線発光蛍光体を含有しないプラスチック）によって形成するとともに、ワンウェイタイプのネジを覆う（隠す）キャップを紫外線発光蛍光体を含有したプラスチックによって形成することができるので、非常に安価に構築することができる。
【００１１】
請求項３に記載された制御装置は、紫外線発光部が紫外線発光蛍光体を含有したポリカーボネート樹脂によって形成されているため、通常の光を照射した場合には、紫外線発光部とその他の部分との見分けがつきにくい上、所定の波長の紫外線を照射した場合には、紫外線発光部とその他の部分とをきわめて明瞭に見分けることができる。したがって、所定の波長の紫外線を照射することによって、上カバーあるいは下カバーが偽造されたものであること（すなわち、不正にＲＯＭ等が取り替えられたこと）をより短時間で明確に認識することが可能である。
【図面の簡単な説明】
【００１２】
【図１】パチンコ機の背面を示す説明図である。
【図２】制御装置を示す説明図（正面図）である。
【図３】制御装置の鉛直断面を示す説明図である（ａはＡ−Ａ線断面を示したものであり、ｂはＢ−Ｂ線断面を示したものであり、ｃはＣ−Ｃ線断面を示したものであり、ｄはａにおける鎖線部分を拡大して示したものである）。
【図４】制御装置を分解して示す説明図（斜視図）である。
【図５】分解した内ケースおよびメイン制御基板を拡大して示す説明図（斜視図）である。
【図６】ベース部材を示す説明図（斜視図）である。
【図７】かしめカバー部材を示す説明図である（ａは上方から見た斜視図であり、ｂは下方から見た斜視図である）。
【図８】不正防止用ビスを示す説明図である（ａは組み付けた不正防止用ビスを示す斜視図であり、ｂは組み付けた不正防止用ビスの部分断面図であり、ｃはビス部材の軸方向の断面図である）。
【図９】内ケースおよび外ケースのネジ止め態様を示す説明図（斜視図）である（メイン制御基板の記載は省略されている）。
【図１０】ベース部材へ内ケースを組み付けた状態を示す説明図である（ａは正面図であり、ｂは斜視図である）。
【図１１】かしめカバー部材のビス挿通部を拡大して示す説明図である。
【図１２】キャップを示す説明図である（ａは斜視図であり、ｂは側面図である）。
【発明を実施するための形態】
【００１３】
以下、本発明に係る制御装置の一実施形態（パチンコ機へ設置した一実施形態）について、図面に基づいて詳細に説明する。
【００１４】
（１）制御装置の構造
図１は、制御装置を設置したパチンコ機の裏面を示したものである。パチンコ機１の裏側に付設された機構板２の中央よりやや下側には、パチンコ機１の遊技内容を制御ずるための制御装置２０が取り付けられており、当該制御装置２０の外側は、透明な合成樹脂製の裏カバー７で覆われた状態になっている。
【００１５】
図２、図３は、それぞれ、制御装置２０の正面、鉛直断面を示したものであり、図４は、制御装置２０を分解した状態を示したものである。なお、制御装置２０は、正面をパチンコ機１の後方に向けた状態で、機構板に設置されており、以下の説明における“左右上下”は、特に断り書きがない限り、制御装置２０の正面側（かしめカバー部材側）から見た場合の“左右上下”を言うものとする。制御装置２０は、メイン制御基板２１、メイン制御基板２１を収容可能な裏側ケース部材３１および表側ケース部材３２からなる内ケース２２、当該内ケース２２を収容可能なベース部材４１およびカバー部材４２からなる外ケース２３、シール切断部材１２等によって構成されている。なお、制御装置２０においては、表側ケース部材３２およびかしめカバー部材４２（キャップ１１，１１を含む）が上カバーとして機能し、裏側ケース部材３１およびベース部材４１が下カバーとして機能する。
【００１６】
メイン制御基板２１は、パチンコ機１の遊技内容に係る制御を実行するものであり、表面には、ＲＯＭ１０，ＣＰＵやＲＡＭ（図示せず）等の種々の制御素子が設置されている。また、メイン制御基板２１の表面下部には、メイン制御基板２１を他の電子部材と接続するためのコネクタ２５，２５が設けられている。さらに、メイン制御基板２１の左右側縁部には、内ケース２２内にネジ止めするためのネジ孔２１ａ，２１ａ・・が設けられている。そして、当該メイン制御基板２１は、表面を外側へ向けてコネクタ２５，２５を下方に位置させた状態で、内ケース２２内に収容され固定されている。
【００１７】
図５は、内ケース２２およびメイン制御基板２１を示したものであり、内ケース２２は、メイン制御基板２１の裏面を覆う裏側ケース部材３１と、メイン制御基板２１の表面を覆う表側ケース部材３２とを組み付けてなるもので、両ケース部材３１，３２を組み付けることで形成される内部空間にメイン制御基板２１を収容可能となっている。裏側ケース部材３１は、ポリカーボネート樹脂により成形されており、ポリカーボネート樹脂の特性によって、外力が加わっても割れにくいようになっている。また、表側ケース部材３２は、ＡＳ樹脂により成形されており、当該樹脂の特性によって、内ケース２２を強引にこじ開けようとした場合等にドライバー等の先端によって表面に傷がつき易く、不正行為の痕跡が残り易いようになっている。
【００１８】
表側ケース部材３２は、略中央に外方へ膨出する膨出部を有し、後方側（メイン制御基板２１と対峙した側）を開口させた箱状体であって、膨出部の中央上方には、メイン制御基板２１の表面に設置されたＲＯＭを視認するための視認窓９が設けられている。また、表側ケース部材３２の下部には、メイン制御基板２１のコネクタ２５，２５を露出させるためのコネクタ窓３３，３３・・が開設されている。各コネクタ窓３３，３３・・の形状（外周の形状）は、各コネクタ２５，２５の形状と略同じに形成されている。また、表側ケース部材３２の下部の左右両端には、係止凹部３４，３４が設けられている。さらに、表側ケース部材３２の上部の左右両端には、ベース部材４１へネジ止めするためのネジ孔を穿設した固定片３５，３５が突設されている。加えて、表側ケース部材３２の上端縁には、一対の鍔片３６，３６が上方へ突設されており、表側ケース部材３２の左右側縁には、一対の押止片３７，３７が外方へ突出するように設けられている。加えて、表側ケース部材３２の内面には、裏側ケース部材３１およびメイン制御基板２１をネジ止めするためのネジ受け部（図示せず）が設けられている。
【００１９】
また、裏側ケース部材３１は、表側ケース部材３２の開口と略同じ大きさに形成された板状体であり、表側ケース部材３２の開口内へ嵌め込むようにして組み付けることができるようになっている。当該裏側ケース部材３１の四隅には、表側ケース部材３２と一体化するためのネジ孔３８，３８・・が穿設されている。また、裏側ケース部材３１の下縁には、後方へ突出する凸条部３９が設けられており、表側ケース部材３２と一体化した後でコネクタ窓３３，３３・・周縁からの工具等の差し込み、メイン制御基板２１に設置された各種素子への干渉を防止可能となっている。
【００２０】
一方、図４等の如く、外ケース２３は、前方に開口を有するベース部材４１と、当該ベース部材４１の開口を覆うように組み付けられるかしめカバー部材４２とからなるもので、両部材４１，４２を組み付けることで形成される内部空間に内ケース２２を収容可能となっている。ベース部材４１は、ポリカーボネート樹脂により成形されており、当該樹脂の特性によって、外力が加わった際に割れにくく、且つ、後述する不正防止用ビス４４が食い込み易いようになっている。また、かしめカバー部材４２は、アクリル樹脂により成形されており、当該樹脂の特性によって、後ケース３２同様、外ケース２３を強引にこじ開けようとした場合等にドライバー等の先端によって表面に傷がつき易く、不正行為の痕跡が残り易いようにしている。なお、かしめカバー部材４２に使用するアクリル樹脂にはゴム等の樹脂が添加されており、かしめカバー部材４２は、表側ケース部材３２よりも若干傷付きにくくなっており、運搬時等における傷付きや破損等を防止可能としている。
【００２１】
また、図６は、ベース部材４１を示したものであり、ベース部材４１は、前板の上下左右縁に沿って上機能部４５、側機能部４６，４６、および下壁部４７をそれぞれ後方へ立設してなるもので、当該上機能部４５、左右の両側機能部４６，４６、および下壁部４７に囲まれた空間４１ａ内に内ケース２２を収容することができるようになっている。上機能部４５には、一対のビス収納部４８，４８が凹設されており、各ビス収納部４８，４８には、ベース部材４１とかしめカバー部材４２とを組み付けるための予備の不正防止用ビス４４が収納可能となっている。
【００２２】
また、上機能部４５の中央および左右両端部には、上面に開口した嵌入凹部４５ａ，４５ａ・・が設けられており、かしめカバー部材４２に設けられた嵌入突起５２ｃを嵌入可能となっている（図３（ａ），（ｂ）参照）。一方、各側機能部４６には、４つの支持リブにより円筒部を支持してなる２つのビス受け部４９，４９が上下方向に連設されている。各ビス受け部４９，４９の円筒部は、固着前の不正防止用ビス４４を挿通可能な径とされており、該円筒部の後方は、前板（被覆部）によって被覆状態とされている。また、ビス受け部４９，４９の下方には、下側のビス受け部４９と下壁部４７とを連結するように補強部５０が設けられており、当該補強部５０の左右方向内側には、内ケース２２を組み付けた際に係止凹部３４に係止する係止片４３，４３が一体的に形成されている。さらに、空間４１ａの上部位置には、内ケース２２を収容状態でネジ止めするためのネジ止め部５１，５１が設けられている。加えて、片側のネジ止め部５１の外側には、制御装置２０を機枠３の後面側に設置する際に使用する取付部材８０が設置されている。なお、ビス収納部４８内には、不正防止用ビス４４の軸部を挟持する一対の挟持リブ４８ａが設けられており、穴を空けて予備の不正防止用ビス４４を取り出すといった不正行為を防止可能としている。また、各補強部５０の前方と前板との間には空間が形成されており、後述するかしめカバー部材４２の嵌合突起５３ｄを嵌合可能になっている。
【００２３】
一方、図７は、かしめカバー部材４２を示したものであり、かしめカバー部材４２は、前板の上縁および左右縁に沿って、後方へ突出する上機能部５２、および側機能部５３，５３をコ字状に連設してなるもので、ベース部材４１の空間４１ａの前方を覆うように組み付け可能となっている。上機能部５２は、ベース部材４１の上機能部４５の上面を被覆する上壁５２ａと、上壁５２ａおよび前板と一体的に形成された押さえリブ５２ｂおよび嵌入突起５２ｃとからなる。押さえリブ５２ｂは、かしめカバー部材４２の組み付け時に、空間４１ａに収容された内ケース２２の鍔片３６に当接して内ケース２２の表側ケース部材３２を押さえる機能を果たすとともに、かしめカバー部材４２上部の補強をも担っている。また、嵌入突起５２ｃは、かしめカバー部材４２をベース部材４１に組み付ける際に、嵌入凹部４５ａへ上方から嵌入して、ベース部材４１とかしめカバー部材４２とをより強固に一体化可能としている。
【００２４】
また、かしめカバー部材４２の各側機能部５３，５３は、不正防止用ビス４４を挿通可能な六角形状の挿通孔を有するビス挿通部５３ａ，５３ａと、収容状態にある内ケース２２を押止する押止リブ５３ｂと、格子状に形成された補強リブ５３ｃとからなる。ビス挿通部５３ａは、ネジ保持部として機能するものであり、ベース部材４１のビス受け部４９に対応して上下に２つ連設されている。各ビス挿通部５３ａは、ニッパ等により切断可能な切断リブ５４，５４・・を介して後板等と連結されており、切断リブ５４，５４・・（図２参照）を切断することによって、かしめカバー部材４２の本体から切り離すことができる。また、押止リブ５３ｂは、ビス挿通部５３ａや補強リブ５３ｃ等よりも後方へ突出しており、ベース部材４１への組み付け時に、収容状態にある内ケース２２の押止片３７に当接し、上記押さえリブ５２ｂ同様、内ケース２２の表側ケース部材３２を押止する機能を果たす。さらに、補強リブ５３ｃは、前板等と一体的に形成されており、ベース部材４１への組み付け時に、空間４１ａに収容された表側ケース部材３２の表面や固定片３５に当接して表側ケース部材３２を押さえる機能を果たす（図３（ａ）参照）とともに、かしめカバー部材４２側部の補強をも担っている。また、各側機能部５３の下端部は、後板よりも下方へ突出しており、組み付け時に係止片４３の前方を覆うようになっている。加えて、各側機能部５３，５３の下端部には、ベース部材４１への組み付け時に補強部５０の前方に嵌合する嵌合突起５３ｄが設けられている。
【００２５】
（２）不正防止用ビスの構造
また、図８は、かしめカバー部材４２とベース部材４１とを螺着するための不正防止用ビス４４を示したものであり、不正防止用ビス４４は、筒状に形成された金属製のビス部材６１と、ビス部材６１へ挿入する（ねじ込む）金属製の芯部材６２とからなる。ビス部材６１は、六角形状のフランジを有する頭部６１ｃと、当該頭部６１ｃから前方へ一体的に突設された軸部とからなる。軸部の先端部は、先割れ状に形成されており、外周面にやすり状の掛止面が形成されてなる複数の舌部６１ａ，６１ａ・・が設けられている。また、ビス部材６１の内周面には、軸部の基端部から各舌部６１ａの先端際にわたってネジ溝６１ｄが形成されている（なお、ネジ溝６１ｄは、各舌部６１ａの先端に到達するまで形成されている訳ではなく、ネジ溝６１ｄと舌部６１ａの先端との間にネジ溝６１ｄが設けられていない帯状部６１ｅが形成されている）。さらに、各舌部６１ａの先端には、係止突起６１ｂが径方向へ突設されている。そして、舌部６１ａ，６１ａ・・は、ビス挿通部５３ａおよびビス受け部４９よりも小径となるように先細り状に窄められており、芯部材６２がねじ込まれた際に、舌部６１ａ，６１ａ・・におけるビス部材６１の径が拡開するようになっている。加えて、頭部６１ｃの外側には、ねじ込まれた芯部材６２のねじ頭６２ｂの略全体を収納できるように、収納凹部６３が扁平な円柱状に刻設されている。
【００２６】
一方、芯部材６２は、軸の先端部にのみ雄ねじ部６２ａが設けられたネジ部材であって、ねじ頭６２ｂは、ねじ込み方向へのみトルクをかけることが可能なワンウェイタイプに成形されている。なお、芯部材６２の雄ねじ部６２ａの山位置での径は、軸よりも大径とされているものの、谷位置での径は軸と同径とされており、後述の如く芯部材６２をねじ込む際にビス部材６１の先端（舌部６１ａ，６１ａ・・の位置）を必要以上に拡開させないようになっている。
【００２７】
上記の如く構成された不正防止用ビス４４を使用する場合には、まず、ビス部材６１を、その係止突起６１ｂ，６１ｂ・・がビス受け部４９よりも前方まで突出するように、ビス挿通部５３ａを介して押し込む。このとき、舌部６１ａ，６１ａ・・は先細り状に窄められているため、手作業等により難なく押し込むことができる。
【００２８】
次に、上記した状態にあるビス部材６１に対して、芯部材６２を強引にねじ込み、そのねじ込み力によって、雄ねじ部６２ａをビス部材６１の先端からさらに前方へ突出させる。すると、ビス部材６１の先割れ状部は、やすり状（無数の突起状）とされた各舌部６１ａの掛止面が被螺着体（後述するビス受け部４９の内周面）に食い込んで掛止するまで拡開する。また、先割れ状部の拡開により、係止突起６１ｂがビス受け部４９の端縁に係止してビス部材６１が抜け止めされる。なお、当該掛止状態において、帯状部６１ｅ位置でのビス部材６１の内径は、雄ねじ部６２ａの山位置での径よりも小径となっている。
【００２９】
一方、芯部材６２の雄ねじ部６２ａは、帯状部６１ｅを通過する際に、先割れ状部が雄ねじ部６２ａの山位置での径まで拡開することはないため、潰れた状態となる（図８（ｄ）参照）。また、雄ねじ部６２ａがビス部材６１の先端から突出すると、ビス部材６１の先割れ状部は芯部材６２の軸径まで若干縮径し、雄ねじ部６２ａの後端部がビス部材６１の先端面に係止する。なお、芯部材６２をねじ込む際には、六角形状の頭部６１ｃとビス挿通部５３ａの挿通孔とが係合しているため、芯部材６２にトルクをかけ易くなっているとともに、トルクをかけることによるビス部材６１の回転を防止している。また、ビス部材６１に芯部材６２がねじ込まれて、ビス部材６１の頭部６１ｃの収納凹部６３に、芯部材６２のねじ頭６２ｂが収納されると、ペンチ等の工具で芯部材６２のねじ頭６２ｂを把持して無理矢理に回転させることもできなくなる。
【００３０】
（３）制御装置の組み付け方法
以下、上記の如く構成された内ケース２２および外ケース２３の組み立てについて、図９、図１０に基づいて説明する。まず、内ケース２２の組み付けに際しては、裏側ケース部材３１を、その前方にメイン制御基板２１を介在させた状態で、後方からネジ２４、２４・・により表側ケース部材３２へネジ止めする。その際に、メイン制御基板２１も、同ネジ２４、２４・・により、内ケース２２内部において表側ケース部材３２へネジ止めされる。そのように組み付けられると、裏側ケース部材３１が、表側ケース部材３２の開口内へ嵌め込まれた状態となり、強引にこじ開けようとしてもメイン制御基板２１の表面（素子設置面）が露出しにくいようになっている。
【００３１】
次に、上記の如く組み立てた内ケース２２をベース部材４１に組み付ける。当該組み付けに際しては、今回の組み立てにおいては使用しない予備の不正防止用ビス４４，４４をベース部材４１のビス収納部４８へ収納した後、空間４１ａ内へ内ケース２２を嵌め込み、ネジ５５，５５により固定片３５をネジ止め部５１にネジ止めして組み付ける。その際に、内ケース２２の鍔片３６，３６がビス収納部４８の開口を覆った状態となり、内ケース２２の下部では、係止凹部３４に係止片４３が係止した状態となる。また、内ケース２２の前面は、ベース部材４１の内面に当接した状態となる。
【００３２】
しかる後、固有のＩＤを記憶したＩＣタグを有する識別シール５６を、内ケース２２の鍔片３６の前面とベース部材４１の上機能部４５の上面とに跨るように貼着する。このとき、ＩＣタグ（すなわち、ＩＤを記憶したチップおよび外部端末との間で無線通信を行うためのアンテナ部を含むもの）をベース部材４１の上面側に位置させるように識別シール５６を貼着し、かしめカバー部材４２を介して外部端末を近接させた場合にＩＤを読み取り可能とする。また、識別シール５６の鍔片３６側の表面には、ＩＤとは異なる別の識別番号が記載されており、目視で識別番号の確認を可能としている。さらに、同表面には、シールの剥離に使用するような溶液等が付着すると化学反応によって変色する反応部（残痕部）が設けられおり、識別シール５６の不正剥離を防止している。
【００３３】
上記の如くベース部材４１に内ケース２２を組み付け、識別シール５６を貼着した後には、ベース部材４１とかしめカバー部材４２とを不正防止用ビス４４，４４を用いて一体化する。このとき、かしめカバー部材４２は、ベース部材４１の上方から下方へスライドさせ、各嵌入突起５２ｃを嵌入凹部４５ａ内へ嵌入させるとともに、嵌合突起５３ｄ、５３ｄを補強部５０の前方へ嵌合させる。そして、左右のビス挿通部５３ａ，５３ａのうちそれぞれ下側のビス挿通部５３ａ，５３ａへ不正防止用ビス４４を前方（かしめカバー部材４２側）から挿入し、不正防止用ビス４４の先端をベース部材４１のビス受け部４９に係止および食い込ませることにより、ベース部材４１とかしめカバー部材４２とを一体化することによって、外ケース２３の組み付けを完了する。
【００３４】
上記の如く組み付けられた状態においては、メイン制御基板２１が、内ケース２２および外ケース２３により二重に覆われ、コネクタ２５，２５・・のみがコネクタ窓３３，３３・・から露出した状態となる。また、かしめカバー部材４２の押さえリブ５２ｂや押止リブ５３ｂ，５３ｂ、補強リブ５３ｃ，５３ｃ・・等が、表側ケース部材３２の鍔片３６、押止片３７，３７、固定片３５や表面に当接しており、かしめカバー部材４２を取り外さない限り、内ケース２２を開放したり、固定片３５をネジ止めしているネジ５５を取り外したり、ビス収納部４８から予備の不正防止用ビス４４を取り出したり、識別シール５６を剥離したりできないようになる。また、かしめカバー部材４２の上壁５２ａにより上機能部４５の上面も被覆され、識別シール５６のＩＣタグを有する側の面に容易に触れることができないようになる。
【００３５】
上記の如く組み付けられた制御装置２０は、取付部材８０，８０等（図４参照）によって、機枠３の後面側に取り付けられる。そして、メイン制御基板２１の検査（たとえば、ＲＯＭのチェック）等のため、再び開放する際には、不正防止用ビス４４により固着状態にあるビス挿通部５３ａの周縁の切断リブ５４，５４・・をニッパ等によって切断する。そのように切断すると、ビス挿通部５３ａとかしめカバー部材４２とが切り離され、ビス挿通部５３ａをベース部材４１側へ残したまま、かしめカバー部材４２をベース部材４１から取り外すことが可能となる。そのため、上記した組み付け手順とは逆の順序でネジ５５，５５を取り外すとともに識別シール５６を剥離して、内ケース２２をベース部材４１から取り出し、ネジ２４，２４・・を外すことにより、メイン制御基板２１の検査を行うことが可能となる。さらに、再び組み付ける際には、上記した手順と略同様の手順により、当初ビス収納部４８へ収納していた予備の不正防止用ビス４４，４４を、当初使用しなかった上側のビス挿通部５３ａ，５３ａへ挿入し、それらの不正防止用ビス４４の先端をベース部材４１のビス受け部４９に係止および食い込ませれば良い。
【００３６】
（４）本発明の特徴部分の説明
図１１は、かしめカバー部材４２のビス挿通部５３ａを拡大して示したものであり、左右のビス挿通部５３ａ，５３ａにおいては、上記の如くベース部材４１とかしめカバー部材４２とを螺着した不正防止用ビス４４，４４の外側にキャップ１１，１１が嵌め込まれており、不正防止用ビス４４，４４が外から見えないように隠されている。
【００３７】
図１２は、キャップ１１を示したものでああり、各キャップ１１，１１は、紫外線発光蛍光体（ペリレン系化合物）を含有したポリカーボネート樹脂によって、扁平な六角柱状に形成されており、上面が略球面状になっている。さらに、外周面には、４個の係合突起６６，６６・・が一体的に設けられている。それらの係合突起６６，６６・・は、鉛直断面が略三角形状になっており、上方にいくほど、外側への突出量が大きくなっている。そして、上端面（図１２（ｂ）における上端面）は、キャップ１１の下端面に対して略平行になっている。
【００３８】
一方、図１２の如く、かしめカバー部材４２の各ビス挿通部５３ａ，５３ａの内壁には、キャップ１１の外周の係合突起６６，６６・・を係合させるための同数の係合凹部６８，６８・・が、係合突起６６，６６・・の形状と略同一の空洞状に設けられている。そして、それらのビス挿通部５３ａ，５３ａの内部においては、キャップ１１が、不正防止用ビス４４，４４の芯部材６２のネジ頭６２ｂの外側において、係合突起６６，６６・・を係合凹部６８，６８・・に係合させた状態で、嵌め込まれている。そのようにビス挿通部５３ａ，５３ａ内に嵌め込まれたキャップ１１，１１は、上記の如く、係合突起６６，６６・・が矢尻状になっているため、工具等を利用して無理矢理に引き抜かない限り、取り外すことができない。
【００３９】
（５）制御装置の効果
制御装置２０は、上記の如く、メイン制御基板２１が、ベース部材４１とかしめカバー部材４２とを組み付けてなる外ケース２３の内部に収容された内ケース２２内に収容されているため、メイン制御基板２１に対して不正行為を働くためには、内ケース２１と外ケース２３との両方をこじ開けたり、穴を空けたりする必要があるため、メイン制御基板２１に対して不正行為を働くことがきわめて困難であり、優れた防犯性を発揮することができる。また、内ケース２２と外ケース２３とに跨るように、固有の識別シール５６が貼着されているため、メイン制御基板２１に対して不正行為を働くためには、識別シール５６の剥離をも行わなければならないので、防犯性が一段と高いものとなっている。
【００４０】
上記した効果に加えて、制御装置２０は、上カバーとして機能するかしめカバー部材４２の一部（不正防止用ビス４４，４４を隠すようにビス挿通部５３ａ，５３ａに装着されるキャップ１１，１１）に、所定の波長の紫外線を照射すると発光する紫外線発光部が設けられているため、上カバーと下カバーとが開放された後に偽造された上カバーに取り替えられた場合でも、所定の波長の紫外線を照射することによって、上カバーが偽造されたものであること（すなわち、不正にＲＯＭ等が取り替えられたこと）を容易に認識することができる。それゆえ、容易に不正の事態を発見することができ、不正遊技者にとって都合良く作動する事態を未然に防止することができる。
【００４１】
さらに、制御装置２０は、ワンウェイタイプのネジである不正防止用ビス４４，４４を隠すようにビス挿通部５３ａ，５３ａに装着されるキャップ１１，１１が紫外線発光部であるため、上カバーおよび下カバーを通常のプラスチック（紫外線発光蛍光体を含有しないプラスチック）によって形成するとともに、キャップ１１，１１のみを紫外線発光蛍光体を含有したプラスチックによって形成することができるので、非常に安価に構築することができる。
【００４２】
加えて、制御装置２０は、紫外線発光部（キャップ１１，１１）が紫外線発光蛍光体（ペリレン系化合物）を含有したポリカーボネート樹脂によって形成されているため、通常の光を照射した場合には、紫外線発光部とその他の部分との見分けがつきにくい上、所定の波長の紫外線を照射した場合には、紫外線発光部とその他の部分とをきわめて明瞭に見分けることができる。したがって、所定の波長の紫外線を照射することによって、上カバーが偽造されたものであること（すなわち、不正にＲＯＭ等が取り替えられたこと）をより短時間で明確に認識することができる。
【００４３】
加えて、上述したような制御装置２０をパチンコ機１に設置することで、ＲＯＭ等が不正に取り替えられたりするおそれがなく、遊技者が安心して遊技可能なパチンコ機１を提供することができる。
【００４４】
（６）制御装置の変更例
なお、本発明の制御装置は、上記実施形態の態様に何ら限定されるものではなく、基板、上カバー（表側ケース部材、カバー部材、キャップ）、下カバー（裏側ケース部材、ベース部材）、不正防止用ビス等の形状、構造、あるいは取付位置、取付方法等の構成を本発明の趣旨を逸脱しない範囲内で適宜変更することができる。
【００４５】
たとえば、本発明の制御装置は、上記実施形態の如く、上カバーの一部を紫外線発光部としたものに限定されず、下カバーの一部を紫外線発光部としたものや、上カバーおよび／または下カバーの全体を紫外線発光部としたもの等に変更することも可能である。また、上カバーおよび／または下カバーの一部を紫外線発光部とする場合でも、上記実施形態の如く、ワンウェイタイプのネジを覆う（隠す）キャップを紫外線発光部としたものに限定されず、他の部分を紫外線発光部としたものに変更することも可能である。
【００４６】
さらに、上カバーおよび／または下カバーの一部を紫外線発光部とする場合には、上記実施形態の如く、上カバーおよび／または下カバーと別個に設けられる他の部材を紫外線発光部とするものに限定されず、上カバーおよび／または下カバーと一体的に設けられる部材あるいは部分を紫外線発光部としたものに変更することも可能である。そのように、上カバーおよび／または下カバーと一体的に設けられる部材あるいは部分を紫外線発光部としたものの一例としては、上カバーの前方の板状部分あるいは下カバーの後方の板状部分に、社名等を示す凸状部分を形成するとともに、当該凸状部分を紫外線発光部としたもの等を挙げることができる。かかる構成を採用する場合には、凸状部分のみを空隙（キャビティ）とした金型を利用して紫外線発光蛍光体を含有した合成樹脂の射出成形を行った後に、成形された凸状部分を設置した別の金型を利用して紫外線発光蛍光体を含有しない合成樹脂の射出成形を行う、所謂、二色成形法を採用することも可能である。
【００４７】
加えて、上記実施形態においては制御装置がパチンコ機用のものである場合の一例について説明したが、本発明に係る制御装置は、スロットマシーンやテレビゲーム等のパチンコ機以外の遊技機用のものであっても良い。
【００４８】
なお、上記実施形態においては、本発明に係る制御装置の一例を示したにすぎず、特許請求の範囲、明細書、図面に記載されたすべての要素（たとえば、基板、上カバー（表側ケース部材、カバー部材、キャップ）、下カバー（裏側ケース部材、ベース部材）、不正防止用ビス等）は、個数を意識的に限定する明確な記載がない限り、物理的に単一であっても複数であっても構わないし、適宜配置の変更が行われても構わない。また、それらの要素につけられた名称（要素名）は、単に本件の記載のために便宜上付与したにすぎないものであり、それによって特別な意味が生じることを特に意識したものではない。したがって、要素名のみによって要素が何であるかが限定解釈されるものではない。たとえば、「〜装置」は、ハード単体でも、ソフトを含んだものであっても構わない。さらに、上記したすべての要素のうちの複数の要素を適宜一体的に構成するか、もしくは一つの要素を複数の要素に分けて構成するかは、いずれも当業者であれば容易に考えられる事項である。したがって、その程度の範囲内での構成上の差異を有する制御装置を、上記実施形態に記載がなされていないことを理由に採用することのみでは、本発明に係る権利を回避したことにはならない（すなわち、本発明に係る制御装置の技術的範囲から外れるものとしたことにはならない）。その他、各要素の構成や形状等における、上記実施形態から当業者であれば容易に考えられる自明な範囲の差異についても同様である。
【産業上の利用可能性】
【００４９】
本発明の制御装置は、上記の如く、趣向性の高いものであるので、パチンコ機、スロットマシーン等の遊技機用の制御装置として好適に用いることができる。
【符号の説明】
【００５０】
１・・パチンコ機（遊技機）
１０・・ＲＯＭ
１１・・キャップ（上カバー（紫外線発光部））
２０・・制御装置
２１・・メイン制御装置
３１・・裏側ケース部材（下カバー）
３２・・表側ケース部材（上カバー）
４１・・ベース部材（下カバー）
４２・・かしめカバー部材（上カバー）
４４・・不正防止用ビス（ワンウェイタイプのネジ）
５３ａ・・ビス挿通部（ネジ保持部）
【図１】
2015000244.tif 000003
【図２】
2015000244.tif 000004
【図３】
2015000244.tif 000005
【図４】
2015000244.tif 000006
【図５】
2015000244.tif 000007
【図６】
2015000244.tif 000008
【図７】
2015000244.tif 000009
【図８】
2015000244.tif 000010
【図９】
2015000244.tif 000011
【図１０】
2015000244.tif 000012
【図１１】
2015000244.tif 000013
【図１２】
2015000244.tif 000014